(57)【要約】【課題】  環状のバーナヘッド(1)上にバーナキャップ(2)が重ね合わせ状態に載置されており、前記バーナヘッド(1)には、前記バーナキャップ(2)との重ね合わせ境界部に下流端開口(130)が開放するガス通路(13)が貫通し、前記バーナキャップ(2)の外面に開放する炎口(22)から中心側へ延びて前記ガス通路(13)の前記下流端開口(130)に繋がる炎口用通路(20)が形成されている、こんろ用バーナに於いて、炎口用通路(20)の天井面(25)を伝ってバーナ内部に流れる煮汁(A)を遮断することにより、煮汁(A)がバーナヘッド(1)のガス通路(13)内に侵入するのを防止する。【解決手段】  前記ガス通路(13)の下流端開口(130)は前記炎口(22)の下端より上方に形成されており、前記下流端開口(130)の径方向外側に、前記炎口用通路(20)の天井面(25)から垂下した垂下壁(24)が設けられている。【選択図】  図１
2007024359.tif 000002
【特許請求の範囲】
【請求項１】
環状のバーナヘッド(1)上にバーナキャップ(2)が重ね合わせ状態に載置されており、
前記バーナヘッド(1)には、前記バーナキャップ(2)との重ね合わせ境界部に下流端開口(130)が開放するガス通路(13)が貫通し、
前記バーナキャップ(2)の外面に開放する炎口(22)から中心側へ延びて前記ガス通路(13)の前記下流端開口(130)に繋がる炎口用通路(20)が形成されている、こんろ用バーナに於いて、
前記ガス通路(13)の下流端開口(130)は前記炎口(22)の下端より上方に形成されており、
前記下流端開口(130)の径方向外側に、前記炎口用通路(20)の天井面(25)から垂下した垂下壁(24)が設けられている、こんろ用バーナ。
【請求項２】
請求項１に記載のこんろ用バーナに於いて、
前記バーナヘッド(1)と前記バーナキャップ(2)の重ね合わせ境界部には、前記垂下壁(24)から落下した煮汁(A)を貯留する煮汁受け(41)が着脱自在に介在されている、こんろ用バーナ。
【発明の詳細な説明】
【技術分野】
【０００１】
本発明は、テーブルコンロ等のガスコンロに組み込まれる、こんろ用バーナに関するものである。
【背景技術】
【０００２】
従来のこんろ用バーナとして、図４に示すように、環状のバーナヘッド(1)にバーナキャップ(2)が載置された構成のものがある（特許文献１参照）。
環状のバーナヘッド(1)の上面外周部に形成されたテーパ座面(11)は中心に向けて次第に高くなっていると共に、該テーパ座面(11)には、バーナキャップ(2)の下面外周部の環状壁(21)が載置されている。
【０００３】
バーナキャップ(2)の前記環状壁(21)の上端近傍には外端の炎口(22)に向かって上昇する炎口用通路(20)が貫通していると共に、環状壁(21)の下面には煮汁戻し溝(23)が形成されている。
又、バーナヘッド(1)の上面に形成されたテーパ座面(11)の内周部(110)は、前記煮汁戻し溝(23)や炎口用通路(20)の内端より更に内方に迫出している。
このものでは、炎口用通路(20)を炎口(22)に向かって上昇するように傾斜させたから、燃料ガスが上向きに噴出され、これにより、鍋等の加熱に適した上向き姿勢の火炎(F)が生成される。
【０００４】
一方、鍋から溢れた煮汁(A)が炎口(22)から炎口用通路(20)内に流入すると、これがバーナヘッド(1)上端のテーパ座面(11)の内周部(110)で受け止められ、外方へ低くなったテーパ座面(11)に案内されつつ煮汁戻し溝(23)を通過して外部へ排出される。
【特許文献１】特開平１１−６３５０２号公報
【発明の開示】
【発明が解決しようとする課題】
【０００５】
しかしながら、上記従来のものでは、鍋からの煮こぼれが激しい場合は、煮汁(A)が炎口用通路(20)の天井面(25)に付着した状態でその内端(200)まで勢い良く流れ、これにより、テーパ座面(11)の内周部(110)を飛び越えてバーナヘッド(1)のガス通路(13)に侵入するという問題があった。
【０００６】
本発明はかかる点に鑑みて成されたもので、
『環状のバーナヘッド(1)上にバーナキャップ(2)が重ね合わせ状態に載置されており、
前記バーナヘッド(1)には、前記バーナキャップ(2)との重ね合わせ境界部に下流端開口(130)が開放するガス通路(13)が貫通し、
前記バーナキャップ(2)の外面に開放する炎口(22)から中心側へ延びて前記ガス通路(13)の前記下流端開口(130)に繋がる炎口用通路(20)が形成されている、こんろ用バーナ』に於いて、炎口用通路(20)の天井面(25)を伝ってバーナ内部に流れる煮汁(A)を遮断して下方に落下させることにより、煮汁(A)がバーナヘッド(1)のガス通路(13)内に侵入するのを防止することを課題とする。
【課題を解決するための手段】
【０００７】
１．上記課題を解決するための請求項１に係る発明の解決手段は、
『前記ガス通路(13)の下流端開口(130)は前記炎口(22)の下端より上方に形成されており、
前記下流端開口(130)の径方向外側に、前記炎口用通路(20)の天井面(25)から垂下した垂下壁(24)が設けられている』ことである。
上記解決手段によれば、炎口(22)から炎口用通路(20)に流入してその天井面(25)を伝ってバーナ内部に流れる煮汁(A)は、前記天井面(25)に設けられた垂下壁(24)に到達する。すると、前記垂下壁(24)はガス通路(13)の下流端開口(130)より径方向外側に設けられているから、煮汁(A)は前記垂下壁(24)で堰き止められると共に、下方に案内されてその下端から炎口用通路(20)の下部に落下する。この場合、ガス通路(13)の下流端開口(130)は炎口(22)の下端より上方に形成されているから、前記落下した煮汁(A)は、ガス通路(13)の下流端開口(130)に流入する前に、これより下方の炎口(22)から外部に流出する。
【０００８】
２．請求項２に係る発明は、
『請求項１に記載のこんろ用バーナに於いて、
前記バーナヘッド(1)と前記バーナキャップ(2)の重ね合わせ境界部には、前記垂下壁(24)から落下した煮汁(A)を貯留する煮汁受け(41)が着脱自在に介在されている』ものでは、バーナキャップ(2)を取り外すと、煮汁(A)が貯留された着脱自在の煮汁受け(41)が露出する。
【発明の効果】
【０００９】
本発明は次の特有の効果を有する。
請求項１に係る発明によれば、炎口(22)から侵入した煮汁(A)は、バーナヘッド(1)に形成されたガス通路(13)の下流端開口(130)に流入する前に、これより下方の炎口(22)から外部に流出するから、該煮汁(A)がバーナヘッド(1)のガス通路(13)内に侵入することがない。
【００１０】
又、煮汁(A)がバーナヘッド(1)のガス通路(13)内に侵入しないから、バーナヘッド(1)の内部清掃が容易に行なえると共に、前記ガス通路(13)内やその上流端に臨むガスノズルが、煮汁(A)で閉塞さる心配がない。
【００１１】
請求項２の発明では、バーナキャップ(2)を取り外すと煮汁(A)が貯留された着脱自在な煮汁受け(41)が露出するから、上記効果に加えて、煮汁受け(41)に貯留された煮汁(A)を捨てる作業が簡単に行なえる効果がある。
【発明を実施するための最良の形態】
【００１２】
以下に、本発明を実施するための最良の形態について添付図面を参照しながら説明する。
［第１実施形態］
本発明の第１実施形態に係るこんろ用バーナ(B)は、図１に示すように、ガスこんろ用のこんろ天板(3)に開設されたバーナ用開口(31)から上方に突出する態様で設けられている。こんろ天板(3)上には、こんろ用バーナ(B)を包囲する位置に五徳(4)が配設されている。
【００１３】
こんろ用バーナ(B)は、環状のバーナヘッド(1)とその下方に連設される混合管(5)から構成されたバーナボディ(6)を有していると共に、バーナヘッド(1)上にはこれと同一外径を有するバーナキャップ(2)が重ね合わせ状態に載置されている。
【００１４】
混合管(5)は、同心状の内・外筒(51)(52)から成る二重筒部(53)がスロート部(50)の下流端に連設された構造である。
混合管(5)の上方に連設されるバーナヘッド(1)は、前記二重筒部(53)の上端に接続される内・外筒(16)(15)からなる二重筒部(17)を備えている。外筒(15)と内筒(16)の相互間には、両者を結合する結合片(a)が周方向に所定ピッチで設けられている。
【００１５】
前記外筒(15)と内筒(16)の相互の間隙は、混合管(5)内に繋がるガス通路(13)となっており、その下流端開口(130)はバーナキャップ(2)の下面に対向している。これにより、バーナヘッド(1)とバーナキャップ(2)の重ね合わせ境界部に前記ガス通路(13)が開放した構成になっている。
【００１６】
バーナヘッド(1)の二重筒部(17)を構成する外筒(15)の上下方向の中程には、こんろ天板(3)上に外周フランジ(18)が張り出していると共に、該外周フランジ(18)の上面外周部には環状の起立壁(14)が突設されており、該起立壁(14)と外筒(15)との間には環状凹部(19)が形成されている。
【００１７】
起立壁(14)の上面は中心に向けて低くなるテーパ面(140)に形成されており、該テーパ面(140)の外端縁(141)は外筒(15)の上端(151)より下方に位置している。即ち、二重筒部(17)の上端に位置するガス通路(13)の下流端開口(130)は後述する炎口(22)の下端より上方に位置している。これにより、環状凹部(19)に溜まった煮汁(A)は、下流端開口(130)に流入する前に、これより下方に位置する起立壁(14)の外端縁(141)から外部に溢れるように構成されている。
【００１８】
前記バーナヘッド(1)に載置されるバーナキャップ(2)は伏椀状に形成されていると共に、その外周部には周方向へ所定ピッチで並んだ複数の炎口(22)が開放しており、バーナヘッド(1)とバーナキャップ(2)の重ね合わせ境界部に於いて、炎口(22)から前記ガス通路(13)の下流端開口(130)に繋がる領域が炎口用通路(20)となっている。
【００１９】
バーナキャップ(2)の下面には、バーナヘッド(1)の中央部に設けられた二重筒(17)の内筒(16)に嵌入する位置決筒(26)が突設されていると共に、前記二重筒(17)の径方向外側（ガス通路(13)の下流端開口(130)の径方向外側）には位置決筒(26)と同心状の環状の垂下壁(24)が突設されている。
【００２０】
このものでは、こんろ用バーナ(B)を燃焼させると、混合管(5)から供給される燃料ガスがバーナヘッド(1)のガス通路(13)→炎口用通路(20)→バーナキャップ(2)の炎口(22)、と繋がる経路で流れて炎口(22)に火炎(F)が形成され、これにより、鍋(9)が加熱される。
【００２１】
さて、加熱中の鍋(9)から煮こぼれが生じると、煮汁(A)が炎口(22)から炎口用通路(20)に流入して天井面(25)を伝ってバーナヘッド(1)のガス通路(13)側に流れようとする。すると、バーナキャップ(2)の天井面(25)にはガス通路(13)の下流端開口(130)より径方向外側に位置する垂下壁(24)が設けられているから、煮汁(A)は前記垂下壁(24)で堰き止められて下方に案内され、垂下壁(24)の下端から炎口用通路(20)の底部たる環状凹部(19)に落下して貯留される。すると、前述のようにガス通路(13)の下流端開口(130)が炎口(22)の下端より上方に位置しているから、環状凹部(19)に貯留された煮汁(A)はガス通路(13)の下流端開口(130)側に流入する前に、これより下方に位置する炎口(22)の下端（外周フランジ(18)の外端縁(141)）から外部に溢れる。これにより、煮汁(A)がガス通路(13)に流入するのを防止することができる。
【００２２】
又、煮汁(A)がバーナヘッド(1)のガス通路(13)内に侵入しないから、バーナヘッド(1)の内部清掃が容易に行なえる。更に、ガス通路(13)内やその上流端に臨むガスノズルが煮汁(A)で閉塞さる心配がない。
【００２３】
［第２実施形態]
図２は第２実施形態に係るこんろ用バーナ(B)の要部断面図であり、このものでは、バーナキャップ(2)の構造を除いて既述第１実施形態のものと同様に構成されている。
バーナキャップ(2)は、バーナヘッド(1)の中央部に設けられた内筒(16)に嵌入する位置決筒(26)の上端から水平に環状平板(27)が張り出していると共に、該環状平板(27)には上面に開放する複数の補助炎口(270)が設けられている。又、環状平板(27)の下面には外周に沿った環状壁(28)が垂下していると共に、該環状壁(28)には下方に開放するスリット(29)が周方向に多数並設されており、該スリット(29)の外端が炎口(22)になっている。又、環状壁(28)は、バーナヘッド(1)の外周フランジ(18)の上面外周に設けられた起立壁(14)に載置されるようになっている。
【００２４】
バーナキャップ(2)の環状平板(27)には、バーナヘッド(1)の二重筒(17)を構成する外筒(15)より径方向の外側に位置する垂下壁(24)が突設されている。このものでも、炎口(22)に流入した煮汁(A)が炎口用通路(20)の天井面(25)（環状平板(27)の下面）に沿ってガス通路(13)側に移動しても、これが前記外筒(15)より径方向外側に位置する垂下壁(24)で堰き止められて環状凹部(19)（炎口用通路(20)の下部）に落下される。この場合、バーナヘッド(1)の中央部に位置する外筒(15)の上端(151)、即ち、ガス通路(13)の下流端開口(130)が炎口(22)の下端より上方に位置しているから、バーナヘッド(1)の外周フランジ(18)に形成された環状凹部(19)に貯留された煮汁(A)は、ガス通路(13)に流入する前に炎口(22)から外部に排出される。
【００２５】
尚、図２の想像線で示すように、バーナヘッド(1)の外周フランジ(18)に形成された環状凹部(19)に煮汁受け(41)を着脱自在に装着し、これにより、バーナヘッド(1)と前記バーナキャップ(2)の重ね合わせ境界部に煮汁受け(41)が介在する構成にしてもよい。このようにすると、垂下壁(24)から落下した煮汁(A)が煮汁受け(41)に貯留される。そして、バーナキャップ(2)を取り外すと、着脱自在な煮汁受け(41)が露出するから、該煮汁受け(41)に貯留された煮汁(A)を簡単に捨てることができる。
【００２６】
［第３実施形態]
図３は、第３実施形態に係るこんろ用バーナ(B)の要部断面図であり、このものは、板金製のバーナボディのバーナヘッド(1)部にバーナキャップ(2)を上方から嵌合したものである。このものでも、ガス通路(13)の下流端開口(130)は炎口(22)の下端より上方に形成されていると共に、炎口用通路(20)の天井面(25)にはガス通路(13)の下流端開口(130)より径方向外側に位置する垂下壁(24)が突設されている。従って、炎口用通路(20)の天井面(25)を伝ってガス通路(13)側に流れる煮汁(A)は、流動途中で垂下壁(24)で堰き止められて炎口用通路(20)の底部に落下し、その後、炎口(22)から外部に排出される。
【図面の簡単な説明】
【００２７】
【図１】本発明の第１実施形態に係るこんろ用バーナ(B)を備えたガスコンロの要部断面図
【図２】本発明の第２実施形態に係るこんろ用バーナ(B)の要部断面図
【図３】本発明の第３実施形態に係るこんろ用バーナ(B)の要部断面図
【図４】従来例の説明図
【符号の説明】
【００２８】
(1)・・・バーナヘッド
(2)・・・バーナキャップ
(13)・・・ガス通路
(20)・・・炎口用通路
(22)・・・炎口
(24)・・・垂下壁
(25)・・・天井面
(130)・・・下流端開口
【図１】
2007024359.tif 000003
【図２】
2007024359.tif 000004
【図３】
2007024359.tif 000005
【図４】
2007024359.tif 000006